(57)【要約】      （修正有）【課題】簡単な構造で往復昇降且つ安定的な足踏み機能を達成することができるステッパーを提供する。【解決手段】ベース２００と、連動ロッド３００と、ペダル部品４１０およびペダルアーム４２０を有する２つのペダル４００と、ストッパ部品５１０およびストッパブロック５２０を有する２つの調節装置５００と、を備える。連動ロッド３００は、ベース２００に枢転可能に設けられており、同軸回転可能な二つの端部３１０を有する。ペダルアーム４２０は、ペダル部品４１０に接続されており、且つ連動ロッドの一方の端部３１０に枢転可能に設けられており、ペダル部品４１０を往復昇降させる。ストッパ部品５１０は、ペダルアーム４２０に設けられている。ストッパブロック５２０は、連動ロッド３００との間にプリセット距離が設けられている。【選択図】図２
0003202024.tif 000002
【実用新案登録請求の範囲】
【請求項１】
ベースと、連動ロッドと、ペダル部品およびペダルアームを有する２つのペダルと、ストッパ部品およびストッパブロックを有する２つの調節装置と、を備え、
前記連動ロッドは、前記ベースに枢転可能に設けられており、同軸回転可能な二つの端部を有し、
前記ペダルアームは、前記ペダル部品に接続されており、且つ前記連動ロッドの一方の端部に枢転可能に設けられており、前記ペダル部品を往復昇降させ、
前記ストッパ部品は、前記ペダルアームに設けられており、少なくとも１つの第１の当接面を有し、
前記ストッパブロックは、前記連動ロッドとの間にプリセット距離が設けられており、前記ストッパ部品の前記第１の当接面に当接する少なくとも１つの第２の当接面を有し、
一方の前記ペダルが重力方向に下がる場合、一方の前記第１の当接面および一方の前記第２の当接面が前記重力方向に傾斜して前記連動ロッドの一方の端部を作動させ、前記連動ロッドの他方の端部を同軸回転させ、他方の前記第１の当接面が他方の前記第２の当接面により押し当てられ、他方の前記ペダルが揺動しながら上がることを特徴とするステッパー。
【請求項２】
前記連動ロッドの一方の端部及び前記ベースに接続されている２つの復位装置を更に備えることを特徴とする請求項１に記載のステッパー。
【請求項３】
前記復位装置は、連結ロッド及び引張バネを有することを特徴とする請求項２に記載のステッパー。
【請求項４】
前記復位装置は、スチールケーブル及び引張バネを有することを特徴とする請求項２に記載のステッパー。
【請求項５】
前記復位装置は、連結ロッド及び圧縮バネを有することを特徴とする請求項２に記載のステッパー。
【請求項６】
前記復位装置は、空気圧シリンダー又は油圧シリンダーであることを特徴とする請求項２に記載のステッパー。
【請求項７】
前記ベースは、２つの前記ストッパブロックを設けるための中心部と、前記中心部から外側へ垂直に延伸する延伸部と、それぞれ前記中心部の両端に接続されている２つの側部とを有し、二つの前記側部が「八」字状に並列配置されており、且つ前記復位装置を設置するために前記側部の内部が中空となり、
前記連動ロッドは、円心部を更に有し、前記円心部が、前記連動ロッドの中央に位置し、且つ枢軸によって前記延伸部の外端に枢転可能に接続されており、前記連動ロッドを枢転可能にし、
２つの前記ペダルは、前記ペダルアームに一体に接続されており、それぞれ前記連動ロッドの両端に枢転可能に接続されている枢転部を有し、前記連動ロッドに対して前記ペダルアームを回転させることを特徴とする請求項２に記載のステッパー。
【請求項８】
前記ストッパ部品の前記第１の当接面は、回転可能に各前記ストッパブロックの前記第２の当接面に当接されていることを特徴とする請求項１に記載のステッパー。
【請求項９】
前記ストッパブロックは、前記ベースに枢転可能に接続されており、
前記第２の当接面は、前記ストッパ部品の前記第１の当接面に回転可能に当接されていることを特徴とする請求項１に記載のステッパー。
【請求項１０】
前記ストッパブロックの前記第２の当接面の数は、複数であることを特徴とする請求項１に記載のステッパー。
【請求項１１】
前記ストッパブロックの複数の前記第２の当接面は、異なる接触面積を有することを特徴とする請求項１０に記載のステッパー。
【請求項１２】
前記ストッパ部品の前記第１の当接面の数は、複数であることを特徴とする請求項１に記載のステッパー。
【請求項１３】
前記ストッパ部品の複数の前記第１の当接面は、異なる接触面積を有することを特徴とする請求項１２に記載のステッパー。
【請求項１４】
前記第１の当接面は、円弧面であることを特徴とする請求項１に記載のステッパー。
【請求項１５】
前記第１の当接面は、弾性材質で作られていることを特徴とする請求項１に記載のステッパー。
【請求項１６】
前記第２の当接面は、円弧面であることを特徴とする請求項１に記載のステッパー。
【請求項１７】
前記第２の当接面は、弾性材質で作られていることを特徴とする請求項１に記載のステッパー。
【考案の詳細な説明】
【技術分野】
【０００１】
本考案は、ステッパーに関し、特に、足踏みの昇降に伴って左右揺動が可能なステッパーに関する。
【背景技術】
【０００２】
ステッパーは、左右ペダルの上下揺動によって階段登り動作の経路を模倣することで、両足の筋肉を鍛える屋内フィットネス器材である。従来のステッパーとしては、上下揺動の動作を模倣できるだけではなく、同時に回転揺動できる一方、腰の力を訓練し、体のバランスを向上させるものもある。
【０００３】
従来のステッパーでは、左右ペダルに複雑な連動システムが採用される。よく用いられる連動システムは、左右ペダルの下に設けられる揺動可能なレバーを含む。レバー原理により、何れのペダルが重力を受けて下へレバーの一端に当接すると、別のペダルがレバーの他端により上へ押し当てられる。或は、左右ペダルに、円心に伴って回転するＶ形の揺動アームを設け、円心の直径が同じ且つ夾角が一定である概念により、何れのペダルが重力を受けて下へＶ形の揺動アームに当接すると、別のペダルがＶ形の揺動アームの他端により上へ押し当てられる。
【０００４】
また、従来のステッパーでは、左右ペダルを回転揺動させるには、２つのペダルを枢軸によってホルダに枢転可能に設けられており、ペダルをホルダに対して回転揺動可能にする。
【０００５】
しかしながら、前述の従来のステッパーの連動装置は、左右ペダルの作動経路が全て固定され、足踏みのプロセスも回転揺動の角度も、異なる使用者のニーズに応じて変動することができない。且つ前述の従来のステッパーでは、昇降及び揺動の動作を達成するために複雑な連動システムが必要であるので、製品のコストが向上する。
【考案の概要】
【考案が解決しようとする課題】
【０００６】
本考案の目的は、複雑な連動システムを使用せずに、従来のステッパーが足踏みのプロセス及び回転揺動の角度を調節することができない欠点を改善し、異なる使用者のニーズに応じて、足踏みのプロセス及び回転揺動の角度が適当に調節可能であるステッパーを提供することにある。
【課題を解決するための手段】
【０００７】
本考案の一態様によると、ステッパーは、ベースと、連動ロッドと、ペダル部品およびペダルアームを有する２つのペダルと、ストッパ部品およびストッパブロックを有する２つの調節装置と、を備える。連動ロッドは、ベースに枢転可能に設けられており、同軸回転可能な二つの端部を有する。ペダルアームは、ペダル部品に接続されており、且つ連動ロッドの一方の端部に枢転可能に設けられており、ペダル部品を往復昇降させる。ストッパ部品は、ペダルアームに設けられており、少なくとも１つの第１の当接面を有する。ストッパブロックは、連動ロッドとの間にプリセット距離が設けられており、ストッパ部品の第１の当接面に当接する少なくとも１つの第２の当接面を有する。一方のペダルが重力方向に下がる場合、一方の第１の当接面および一方の第２の当接面が重力方向に傾斜して連動ロッドの一方の端部を作動させ、連動ロッドの他方の端部を同軸回転させ、他方の第１の当接面が他方の第２の当接面により押し当てられ、他方のペダルが揺動しながら上がる。
【０００８】
これにより、ステッパーの連動ロッド及び調節装置は、簡単な構造で往復昇降の足踏み機能を達成することができる。
【０００９】
本考案の一態様によると、ステッパーは、それぞれ連動ロッドの一端及びベースに接続されている２つの復位装置を更に有する。復位装置は、それぞれ連結ロッド及び引張バネであってもよい。復位装置は、それぞれスチールケーブル及び引張バネであってもよい。復位装置は、それぞれ連結ロッド及び圧縮バネであってもよい。復位装置は、それぞれ空気圧シリンダー又は油圧シリンダーであってもよい。ベースは、２つのストッパブロックを設けるための中心部と、中心部から外側へ垂直に延伸する延伸部と、それぞれ中心部の両端に接続されている２つの側部とを有する。二つの側部が「八」字状に並列配置されており、且つ復位装置を設置するために側部の内部が中空となる。連動ロッドは、円心部を更に有し、円心部が、連動ロッドの中央に位置し、且つ枢軸によって延伸部の外端に枢転可能に接続されており、連動ロッドを枢転可能にする。２つのペダルは、ペダルアームに一体に接続されており、それぞれ連動ロッドの両端に枢転可能に接続されている枢転部を有し、連動ロッドに対してペダルアームを回転させる。各ストッパ部品の第１の当接面が回転可能に各ストッパ部品の第２の当接面に当接される。各ストッパ部品の第１の当接面の数は、複数であってもよい。且つ複数の第１の当接面は、異なる接触面積を有する。第１の当接面は、円弧面であってもよい。第１の当接面は、弾性材質で作られてもよい。
【００１０】
本考案の一態様によると、各ストッパブロックがベースに枢転可能に接続されており、且つその第２の当接面が回転可能に各ストッパ部品の第１の当接面に当接される。各ストッパブロックの第２の当接面の数は、複数であってもよい。複数の第２の当接面は、異なる接触面積を有する。第２の当接面は、円弧面であってもよい。第２の当接面は、弾性材質で作られてもよい。
【００１１】
従って、前述のステッパーの態様から、本考案では、連動ロッドと調節装置との組み合わせによって、ペダルが重力方向に下がる場合、第１の当接面が第２の当接面に当接して重力方向に傾斜して、連動ロッドの両端が同軸回転させるとともに、別の第２の当接面を傾斜させ別の第１の当接面に押し当て、別のペダルを回転させ上げるように作動することは判明される。また、本考案では、連動ロッドの両端に設けられる復位装置によって、左右のペダルの動作がその復位力に連動して初期状態に回復する。
【図面の簡単な説明】
【００１２】
【図１】本考案の一実施形態に係るステッパーを示す模式的な斜視図である。
【図２】本考案の一実施形態に係る示すステッパーを示す模式的な分解図である。
【図３】本考案の一実施形態に係るステッパーを示す底面図である。
【図４Ａ】本考案の一実施形態に係るステッパーの動作を示す模式図である。
【図４Ｂ】本考案の一実施形態に係るステッパーの一側の動作を示す模式図である。
【図４Ｃ】本考案の一実施形態に係るステッパーの他側の動作を示す模式図である。
【図５Ａ】本考案の一実施形態に係るステッパーにおけるストッパブロックと連動ロッドとのプリセット距離及びペダルアームの上下揺動角度を示す模式図である。
【図５Ｂ】本考案の一実施形態に係るステッパーにおけるペダルアームの左右の揺動角度を示す模式図である。
【図６】本考案の第一変形例に係るステッパーを示す模式図である。
【図７】本考案の第二変形例に係るステッパーを示す模式図である。
【図８】本考案の第三変形例に係るステッパーを示す模式図である。
【図９】本考案の第四変形例に係るステッパーを示す模式的な分解図である。
【図１０】本考案の第五変形例に係るステッパーを示す模式的な分解図である。
【図１１】本考案の第六変形例に係るステッパーを示す模式的な分解図である。
【考案を実施するための形態】
【００１３】
（一実施形態）
以下、図面に基づいて、本考案の目的、特徴、メリット及び実施形態を説明する。
図１、図２及び図３を参照されたい。図１は、本考案の一実施形態に係るステッパーを示す模式的な斜視図である。図２は、本考案の一実施形態に係るステッパーを示す模式的な分解図である。図３は、図２に示すステッパーを示す底面図である。ステッパー１００は、ベース２００と、連動ロッド３００と、２つのペダル４００と、２つの調節装置５００と、２つの復位装置６００と、を備える。
【００１４】
ベース２００は、水平面に安定的に置かれることに用いられる。ベース２００は、中心部２１０と、中心部２１０から外へ垂直に延伸する延伸部２２０と、それぞれ中心部２１０の両端に接続され、「八」の字状に並列配置され、内部が中空となる２つの側部２３０と、を含む。
【００１５】
連動ロッド３００は、ベース２００に枢転可能に設けられており、同軸回転可能な両端部３１０と、連動ロッド３００中央に位置し、連動ロッド３００がベース２００に対して回転可能にするように、枢軸３３０によって延伸部２２０の外端に枢転可能に接続されている円心部３２０と、を有する。
【００１６】
各ペダル４００は、踏むためのペダル部品４１０と、ペダル部品４１０に接続されるＬ形のペダルアーム４２０と、ペダルアーム４２０に一体的に接続され、且つそれぞれ各ペダルアーム４２０が連動ロッド３００に対して回転可能であり、ペダル部品４１０を往復昇降させるように、連動ロッド３００の両端部３１０に枢転可能に接続されている枢転部４３０と、を含む。図３にはペダル部品が示されていない。
【００１７】
各調節装置５００は、ストッパ部品５１０と、ストッパブロック５２０と、を含む。ストッパ部品５１０がペダルアーム４２０に設けられ、少なくとも１つの第１の当接面５１１を有する。本実施形態において、第１の当接面５１１は、円弧面であってもよく、且つ弾性材質で作られてもよい。２つのストッパブロック５２０がそれぞれ連動ロッド３００との間にプリセット距離があり、中心部２１０に設けられ、且つストッパ部品５１０の第１の当接面５１１に当接する少なくとも１つの第２の当接面５２１を有する。本実施形態における第２の当接面５２１の数は、４つである。
【００１８】
各復位装置６００は、それぞれ連動ロッド３００の端部３１０及びベース２００に接続されるように、２つの側部２３０の内部に設けられる。本実施形態において、復位装置６００は、連結ロッド６１０及び引張バネ６２０からなる。連結ロッド６１０は、一端が連動ロッド３００の一方の端部３１０に接続され、他端が引張バネ６２０に接続される。
【００１９】
以下、図２、図４Ａ、図４Ｂ及び図４Ｃを参照されたい。図４Ａ、図４Ｂ及び図４Ｃによってステッパー１００の動作を説明する。図４Ａは、図２に示すステッパー１００の動作を示す模式図である。図４Ｂ及び図４Ｃは、図４Ａに示すステッパー１００の両側の動作を示す模式図である。ペダル４００が重力方向ｇへ下がる場合、このペダル４００に設けられるストッパ部品５１０の第１の当接面５１１とストッパブロック５２０の第２の当接面５２１が重力方向ｇに傾斜させて、連動ロッド３００の両端部３１０を同軸回転させるとともに、別のストッパブロック５２０の第２の当接面５２１が傾斜して別のストッパ部品５１０の第１の当接面５１１に押し当て、別のペダル４００を上げる。従って、連動ロッド３００の同軸回転、ストッパ部品５１０とストッパブロック５２０との当接設置によって、左右のペダル４００の上下揺動の動作を可能にする。
【００２０】
しかしながら、注意すべきなのは、ステッパー１００のペダル４００は、ストッパブロック５２０及びストッパ部品５１０に制限されて、上下揺動するように連動できるだけではなく、同時に左右の揺動をすることができる。図２、図５Ａ及び図５Ｂをあわせて参照されたい。図５Ａは、図２に示すステッパー１００におけるストッパブロック５２０と連動ロッド３００とのプリセット距離Ｌ及びペダルアーム４２０の上下揺動角度θαを示す模式図である。図５Ｂは、図２に示すステッパーにおけるペダルアーム４２０の左右の揺動角度θβを示す模式図である。各ペダルアーム４２０が上がる場合も下がる場合も、そのペダルアーム４２０におけるストッパ部品５１０がストッパブロック５２０に当接されるが、連動ロッド３００が円心を回って回転するために、ペダルアーム４２０が上下揺動できるだけではなく、連動ロッド３００に伴って左右揺動することもできる。ペダルアーム４２０の高さ及びストッパブロック５２０の高さが一定であると仮定すると、ストッパブロック５２０と連動ロッド３００とのプリセット距離Ｌが長いほど、ペダルアーム４２０の上下揺動角度θα及び左右の揺動角度θβが小さい。使用者は、この概念によりストッパブロック５２０の設置位置を変更して、ステッパー１００のペダルプロセス及び揺動角度を調節することができる。また、本実施形態において、ストッパブロック５２０は、４つの第２の当接面５２１を有し、４つの第２の当接面５２１が異なる接触面積を有する場合も、ペダルアーム４２０の上下揺動角度θα及び左右の揺動角度θβを調節できる。
【００２１】
図６、図７及び図８をあわせて参照されたい。図６は、本実施形態の第一変形例に係るステッパー１００を示す模式図である。図７は、本実施形態の第二変形例に係るステッパー１００を示す模式図である。図８は、本実施形態の第三変形例に係るステッパー１００を示す模式図である。
【００２２】
図６に示すように、第一変形例においてストッパブロック５２０及びストッパ部品５１０の設置位置が限定されないため、ストッパブロック５２０とストッパ部品５１０との位置を互いに取り替え、ストッパブロック５２０とストッパ部品５１０との相対的な位置が変わらない限り、同様にステッパー１００のペダルプロセス（即ち、上下揺動角度）及び左右の揺動角度に対する調節効果を達成することができる。図７に示すように、第二変形例におけるストッパ部品５１０は、ペダル４００の足踏みでの動作を更にスムーズにする回転可能な円面を有する。第三変形例では、図８に示すように、図７におけるストッパブロック５２０とストッパ部品５１０との位置を互いに取り替える。
【００２３】
図９、図１０及び図１１をあわせて参照されたい。図９は、本実施形態の第四変形例に係るステッパー１００を示す模式的な分解図である。図１０は、本実施形態の第五変形例に係るステッパー１００を示す模式的な分解図である。図１１は、本実施形態の第六変形例に係るステッパー１００を示す模式的な分解図である。
【００２４】
図９に示すように、第四変形例の復位装置６００は、スチールケーブル６１０ａを引張バネ６２０に組み合わせて、復位力を提供する。図１０に示すように、第五変形例の復位装置６００は、連結ロッド６１０を圧縮バネ６２０ａに組み合わせて、復位力を提供する。図１１に示すように、第六変形例の復位装置６００は、復位力を提供する空気圧シリンダー又は油圧シリンダーであってもよい。このため、当業者であれば、復位装置６００に対して、その構造の組合せを自由に変化させることができる。
【００２５】
本考案のステッパーは、以下のメリットを有する。
【００２６】
１．ステッパーの連動ロッド及び調節装置は、簡単な構造で往復昇降の足踏み機能を達成することができる。
【００２７】
２．ペダルの上下揺動にとって、本考案の調節装置及び連動ロッド構造は、従来のステッパーがレバー又はＶ形の揺動の連動装置よりも一層安定になる。
【００２８】
３．調節装置におけるストッパブロック及びストッパ部品が重力方向に傾斜する構造及び連動ロッドの組み合わせによって、ペダルを上下揺動にし、更にペダルが左右揺動にするように連動する。
【００２９】
４．使用者に必要なペダルプロセス及び揺動幅に応じて、ストッパ部品とストッパブロックとの位置を互いに取り替えることができ、且つストッパ部品の第１の当接面とストッパブロックの第２の当接面との数を変えることができ、ストッパブロックの第２の当接面の接触面積をそれに伴って変えることもできる。
【００３０】
本考案の実施形態を前述の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とするものである。
【符号の説明】
【００３１】
１００  ステッパー、
２００  ベース、
２１０  中心部、
２２０  延伸部、
２３０  側部、
３００  連動ロッド、
３１０  端部、
３２０  円心部、
３３０  枢軸、
４００  ペダル、
４１０  ペダル部品、
４２０  ペダルアーム、
４３０  枢転部、
５００  調節装置、
５１０  ストッパ部品、
５１１  第１の当接面、
５２０  ストッパブロック、
５２１  第２の当接面、
６００  復位装置、
６１０  連結ロッド、
６１０ａ  スチールケーブル、
６２０ａ  圧縮バネ、
Ｌ  プリセット距離、
θα  上下の揺動角度、
θβ  左右の揺動角度、
ｇ  重力方向。
【図１】
0003202024.tif 000003
【図２】
0003202024.tif 000004
【図３】
0003202024.tif 000005
【図４Ａ】
0003202024.tif 000006
【図４Ｂ】
0003202024.tif 000007
【図４Ｃ】
0003202024.tif 000008
【図５Ａ】
0003202024.tif 000009
【図５Ｂ】
0003202024.tif 000010
【図６】
0003202024.tif 000011
【図７】
0003202024.tif 000012
【図８】
0003202024.tif 000013
【図９】
0003202024.tif 000014
【図１０】
0003202024.tif 000015
【図１１】
0003202024.tif 000016